(57)【要約】【課題】プラズマディスプレイパネルにおいて動画疑似輪郭を抑制する。【解決手段】プラズマディスプレイ装置は、画素データとサブフィールドを表す画素駆動データとを対応させたＬＵＴ１１Ａ〜１１Ｄと、４種類の指定情報を配置した制御パターンを生成し、入力画素データが制御パターン上のどの位置に対応するかを判別し、判別した位置の指定情報で指定されるＬＵＴを選択するシーケンス制御回路１２を有する。１つの輝度に対して選択するサブフィールドの組み合わせを複数とし、第１の輝度に対応するサブフィールドの組み合わせによる複数の発光重心の平均値と、第１の輝度との輝度差が所定値以下の第２の輝度に対応するサブフィールドの組み合わせによる複数の発光重心の平均値とが略等しくなるように、ＬＵＴ１１Ａ〜１１Ｄを設定する。【選択図】  図１
2005250001.tif 000002
【特許請求の範囲】
【請求項１】
プラズマディスプレイパネルの１フィールド期間を、発光期間がそれぞれ重み付けされた複数のサブフィールドに分割し、入力画素データと選択すべきサブフィールドを表す画素駆動データとを対応付けたルックアップテーブルにより、前記複数のサブフィールドの中から入力画像の画素データに応じたサブフィールドを画素毎に選択して、選択したサブフィールドの重み付けに対応した期間だけプラズマディスプレイパネルのセルを発光させることにより多階調表示を行うプラズマディスプレイパネルの表示方法において、
予め用意された複数個の前記ルックアップテーブルの中から選択すべきルックアップテーブルを指定する複数種類の指定情報を入力画像の各画素に対応してマトリクス状に配置した制御パターンを生成する制御パターン生成手順と、
前記入力画像の処理対象の画素データに対応する画素駆動データを読み出して出力することを前記複数個のルックアップテーブルの各々において行う変換手順と、
前記処理対象の画素データが前記制御パターン上のどの位置に対応するかを判別し、判別した位置の指定情報で指定されるルックアップテーブルの画素駆動データを選択するシーケンス制御手順と、
前記選択した画素駆動データに応じて前記処理対象の画素データに対応する前記プラズマディスプレイパネルのセルを発光させる発光制御手順とを有し、
１つの輝度に対して選択されるサブフィールドの組み合わせを複数通りとし、第１の輝度に対して選択されるサブフィールドの組み合わせによる複数の発光重心の平均値と、前記第１の輝度との輝度差が所定値以下の第２の輝度に対して選択されるサブフィールドの組み合わせによる複数の発光重心の平均値とが略等しくなるように、前記サブフィールドの複数通りの組み合わせが前記入力画素データの輝度毎に予め決定され、この組み合わせを表す複数種類の画素駆動データが前記複数個のルックアップテーブルに１つずつ設定されることを特徴とするプラズマディスプレイパネルの表示方法。
【請求項２】
請求項１記載のプラズマディスプレイパネルの表示方法において、
前記ルックアップテーブルの個数を２n （ｎは２以上の整数）とし、
前記制御パターン生成手順で生成される制御パターンは、前記２n 種類の指定情報を２つずつ選択して組み合わせ、同一の組に属する２つの指定情報を交互に並べて配置した４画素の制御パターンを２n ／２組構成し、この２n ／２組の制御パターンを交互に並べて配置したものであり、
前記２n ／２組の制御パターンの各々においては、それぞれ水平、垂直方向共に隣接する指定情報が異なり、かつ１フィールド前と指定情報が入れ替わるように、２つの指定情報を交互に配置することを特徴とするプラズマディスプレイパネルの表示方法。
【請求項３】
請求項１記載のプラズマディスプレイパネルの表示方法において、
前記ルックアップテーブルの個数を２n （ｎは２以上の整数）とし、この２n 個のルックアップテーブルが同一の入力画素データに対して同一又は異なる輝度を表す画素駆動データを出力するように前記ルックアップテーブルを設定することを特徴とするプラズマディスプレイパネルの表示方法。
【請求項４】
プラズマディスプレイパネルの１フィールド期間を、発光期間がそれぞれ重み付けされた複数のサブフィールドに分割し、この複数のサブフィールドの中から入力画像の画素データに応じたサブフィールドを画素毎に選択して、選択したサブフィールドの重み付けに対応した期間だけプラズマディスプレイパネルのセルを発光させることにより多階調表示を行うプラズマディスプレイ装置において、
入力画素データと選択すべきサブフィールドを表す画素駆動データとを対応付けて記憶し、入力画像の処理対象の画素データに対応する画素駆動データを読み出して出力する複数個のルックアップテーブルと、
この複数個のルックアップテーブルの中から選択すべきルックアップテーブルを指定する複数種類の指定情報を入力画像の各画素に対応してマトリクス状に配置した制御パターンを生成する制御パターン生成手段と、
前記処理対象の画素データが前記制御パターン上のどの位置に対応するかを判別し、判別した位置の指定情報で指定されるルックアップテーブルの画素駆動データを選択するシーケンス制御手段と、
前記選択された画素駆動データに応じて前記処理対象の画素データに対応する前記プラズマディスプレイパネルのセルを発光させる発光制御手段とを有し、
１つの輝度に対して選択されるサブフィールドの組み合わせを複数通りとし、第１の輝度に対して選択されるサブフィールドの組み合わせによる複数の発光重心の平均値と、前記第１の輝度との輝度差が所定値以下の第２の輝度に対して選択されるサブフィールドの組み合わせによる複数の発光重心の平均値とが略等しくなるように、前記サブフィールドの複数通りの組み合わせが前記入力画素データの輝度毎に予め決定され、この組み合わせを表す複数種類の画素駆動データが前記複数個のルックアップテーブルに１つずつ設定されることを特徴とするプラズマディスプレイ装置。
【請求項５】
請求項４記載のプラズマディスプレイ装置において、
前記ルックアップテーブルの個数を２n （ｎは２以上の整数）とし、
前記制御パターン生成手順で生成される制御パターンは、前記２n 種類の指定情報を２つずつ選択して組み合わせ、同一の組に属する２つの指定情報を交互に並べて配置した４画素の制御パターンを２n ／２組構成し、この２n ／２組の制御パターンを交互に並べて配置したものであり、
前記２n ／２組の制御パターンの各々においては、それぞれ水平、垂直方向共に隣接する指定情報が異なり、かつ１フィールド前と指定情報が入れ替わるように、２つの指定情報を交互に配置することを特徴とするプラズマディスプレイ装置。
【請求項６】
請求項４記載のプラズマディスプレイ装置において、
前記ルックアップテーブルの個数を２n （ｎは２以上の整数）とし、この２n 個のルックアップテーブルが同一の入力画素データに対して同一又は異なる輝度を表す画素駆動データを出力するように前記ルックアップテーブルを設定することを特徴とするプラズマディスプレイ装置。
【発明の詳細な説明】
【技術分野】
【０００１】
本発明は、映像信号の１フィールド期間を相対輝度の異なる複数のサブフィールドに分割して、映像信号の画素の輝度に応じてサブフィールドを適宜組み合わせて発光させることにより、多階調表示を行うプラズマディスプレイパネルの表示方法およびプラズマディスプレイ装置に関するものである。
【背景技術】
【０００２】
各画素がマトリクス状に形成されたプラズマディスプレイパネル（以下、ＰＤＰとする）の多階調表示を行うプラズマディスプレイ装置は、図６に示すように、入力映像信号のレベル調整を行うレベル調整回路２と、レベル調整回路２の出力をＡ／Ｄ変換して８ビットの画像データとするＡ／Ｄ変換回路３と、Ａ／Ｄ変換回路３から出力された画像データに対してγ逆補正を行うγ逆補正回路４と、γ逆補正された画像データを後述する画素駆動データに変換するルックアップテーブル（Look Up Table 、以下、ＬＵＴとする）５と、ＬＵＴ５から出力された画素駆動データに基づいてＰＤＰ１の発光を制御する出力処理回路６と、入力映像信号のなかから同期信号（垂直同期信号と水平同期信号）を分離する同期分離回路７と、同期分離回路７からの同期信号をもとにＡ／Ｄ変換回路３のＡ／Ｄ変換のタイミング等を規定するタイミングパルスの生成を行うタイミングパルス発生回路８と、前記タイミングパルスを入力して出力処理回路６からのデータの読み出しを制御するメモリ制御回路９と、前記タイミングパルスをもとにＰＤＰ１の各画素の表示タイミングを規定するタイミング信号の生成を行う駆動タイミング発生回路１０とからなる。
【０００３】
このようなＰＤＰ１あるいは強誘電性液晶素子を用いた表示パネルの表示を行う場合、各画素（放電セル）が発光と非発光の２つの状態しか有しないため、１フィールドの表示期間を、画素の点灯期間である維持発光期間（発光輝度に比例）の相対比がそれぞれ異なる複数のサブフィールドに分割すると共に、入力映像信号に応じたサブフィールドを選択して、選択したサブフィールドの重み付けに対応した期間だけＰＤＰ１の対応する画素を発光させることにより、所定の階調表示を得るようにしている。
【０００４】
図７の例は、１フィールド表示期間が８個のサブフィールドＳｆ１〜Ｓｆ８により構成され、８個の階調ビットにより２５６階調表示が行われる例である。すなわち、最上位の階調ビット（８ビット目）がサブフィールドＳｆ８に対応するとともに、以下順に、７ビット目の階調ビットがサブフィールドＳｆ７に、６ビット目の階調ビットがサブフィールドＳｆ６に、５ビット目の階調ビットがサブフィールドＳｆ５に、４ビット目の階調ビットがサブフィールドＳｆ４に、３ビット目の階調ビットがサブフィールドＳｆ３に、２ビット目の階調ビットがサブフィールドＳｆ２にそれぞれ対応し、最下位の階調ビット（１ビット目）がサブフィールドＳｆ１に対応する。各サブフィールドＳｆ１〜Ｓｆ８では、維持発光期間がそれぞれ階調数（発光輝度の相対比）１（＝２0 ），２（＝２1 ），４（＝２2 ），８（＝２3 ），１６（＝２4 ），３２（＝２5 ），６４（＝２6 ），１２８（＝２7 ）として重み付けされている。
【０００５】
図７の例は８ビットの階調を表示する場合を示しているが、一般に、ｎビットの階調を表示する場合には、各サブフィールドの発光輝度の相対比を最低限２n−1：２n−2：２n−3・・・・２2：２1：１ の構成になるようにする必要がある。ただし、このような最低限のサブフィールド構成で表示を行うと、画像が静止している部分では何の問題も発生しないが、画像が動いている部分では、人間の目が本来存在しないはずの輝度を認識してしまい、動画疑似輪郭と呼ばれる特有の画質劣化が生じるため、現状一般的には８ビットの階調を表示する場合で１２サブフィールドの構成が採用されている。動画疑似輪郭の発生原因は、人間の目が、あるサブフィールドとその前後のサブフィールドにおける発光部分や未発光部分を融合して認識してしまうことにある。
そこで、サブフィールドの発光重み付けと選択方法を工夫することで、動画疑似輪郭を低減する手法（例えば、非特許文献１参照）が提案されている。
【０００６】
なお、出願人は、本明細書に記載した先行技術文献情報で特定される先行技術文献以外には、本発明に関連する先行技術文献を出願時までに発見するには至らなかった。
【非特許文献１】森光広，橋口淳平，「ＰＤＰの動画疑似輪郭低減手法」，１９９８年映像情報メディア学会年次大会，社団法人映像情報メディア学会，１９９８年，１９−１０，ｐ．２７６
【発明の開示】
【発明が解決しようとする課題】
【０００７】
輝度の変化に対して発光重心（重み付け）の変化もなだらかであれば、動画疑似輪郭を効果的に抑制することが可能である。しかしながら、従来の手法では、輝度の変化に対してなだらかな発光重心の変化を実現できていないため、動画疑似輪郭の抑制効果が不十分であった。また、輝度が変化した部分で発光重心の変化が分散していないため、発光重心の変化が等高線のようになって目につき易いという問題点があった。
【０００８】
本発明は、上記課題を解決するためになされたもので、プラズマディスプレイパネルにおいてサブフィールド法による階調表示を行う場合に、動画疑似輪郭を効果的に抑制することができるプラズマディスプレイパネルの表示方法およびプラズマディスプレイ装置を提供することを目的とする。
【課題を解決するための手段】
【０００９】
本発明は、プラズマディスプレイパネルの１フィールド期間を、発光期間がそれぞれ重み付けされた複数のサブフィールドに分割し、入力画素データと選択すべきサブフィールドを表す画素駆動データとを対応付けたルックアップテーブルにより、前記複数のサブフィールドの中から入力画像の画素データに応じたサブフィールドを画素毎に選択して、選択したサブフィールドの重み付けに対応した期間だけプラズマディスプレイパネルのセルを発光させることにより多階調表示を行うプラズマディスプレイパネルの表示方法において、予め用意された複数個の前記ルックアップテーブルの中から選択すべきルックアップテーブルを指定する複数種類の指定情報を入力画像の各画素に対応してマトリクス状に配置した制御パターンを生成する制御パターン生成手順と、前記入力画像の処理対象の画素データに対応する画素駆動データを読み出して出力することを前記複数個のルックアップテーブルの各々において行う変換手順と、前記処理対象の画素データが前記制御パターン上のどの位置に対応するかを判別し、判別した位置の指定情報で指定されるルックアップテーブルの画素駆動データを選択するシーケンス制御手順と、前記選択した画素駆動データに応じて前記処理対象の画素データに対応する前記プラズマディスプレイパネルのセルを発光させる発光制御手順とを有し、１つの輝度に対して選択されるサブフィールドの組み合わせを複数通りとし、第１の輝度に対して選択されるサブフィールドの組み合わせによる複数の発光重心の平均値と、前記第１の輝度との輝度差が所定値以下の第２の輝度に対して選択されるサブフィールドの組み合わせによる複数の発光重心の平均値とが略等しくなるように、前記サブフィールドの複数通りの組み合わせが前記入力画素データの輝度毎に予め決定され、この組み合わせを表す複数種類の画素駆動データが前記複数個のルックアップテーブルに１つずつ設定されるようにしたものである。
【００１０】
また、本発明のプラズマディスプレイパネルの表示方法の１構成例は、前記ルックアップテーブルの個数を２n （ｎは２以上の整数）とし、前記制御パターン生成手順で生成される制御パターンは、前記２n 種類の指定情報を２つずつ選択して組み合わせ、同一の組に属する２つの指定情報を交互に並べて配置した４画素の制御パターンを２n ／２組構成し、この２n ／２組の制御パターンを交互に並べて配置したものであり、前記２n ／２組の制御パターンの各々においては、それぞれ水平、垂直方向共に隣接する指定情報が異なり、かつ１フィールド前と指定情報が入れ替わるように、２つの指定情報を交互に配置するようにしたものである。
また、本発明のプラズマディスプレイパネルの表示方法の１構成例は、前記ルックアップテーブルの個数を２n （ｎは２以上の整数）とし、この２n 個のルックアップテーブルが同一の入力画素データに対して同一又は異なる輝度を表す画素駆動データを出力するように前記ルックアップテーブルを設定するようにしたものである。
【００１１】
また、本発明は、プラズマディスプレイパネルの１フィールド期間を、発光期間がそれぞれ重み付けされた複数のサブフィールドに分割し、この複数のサブフィールドの中から入力画像の画素データに応じたサブフィールドを画素毎に選択して、選択したサブフィールドの重み付けに対応した期間だけプラズマディスプレイパネルのセルを発光させることにより多階調表示を行うプラズマディスプレイ装置において、入力画素データと選択すべきサブフィールドを表す画素駆動データとを対応付けて記憶し、入力画像の処理対象の画素データに対応する画素駆動データを読み出して出力する複数個のルックアップテーブルと、この複数個のルックアップテーブルの中から選択すべきルックアップテーブルを指定する複数種類の指定情報を入力画像の各画素に対応してマトリクス状に配置した制御パターンを生成する制御パターン生成手段と、前記処理対象の画素データが前記制御パターン上のどの位置に対応するかを判別し、判別した位置の指定情報で指定されるルックアップテーブルの画素駆動データを選択するシーケンス制御手段と、前記選択された画素駆動データに応じて前記処理対象の画素データに対応する前記プラズマディスプレイパネルのセルを発光させる発光制御手段とを有し、１つの輝度に対して選択されるサブフィールドの組み合わせを複数通りとし、第１の輝度に対して選択されるサブフィールドの組み合わせによる複数の発光重心の平均値と、前記第１の輝度との輝度差が所定値以下の第２の輝度に対して選択されるサブフィールドの組み合わせによる複数の発光重心の平均値とが略等しくなるように、前記サブフィールドの複数通りの組み合わせが前記入力画素データの輝度毎に予め決定され、この組み合わせを表す複数種類の画素駆動データが前記複数個のルックアップテーブルに１つずつ設定されるようにしたものである。
【発明の効果】
【００１２】
本発明によれば、１つの輝度に対して選択されるサブフィールドの組み合わせを複数通りとし、第１の輝度に対して選択されるサブフィールドの組み合わせによる複数の発光重心の平均値と、第１の輝度との輝度差が所定値以下の第２の輝度に対して選択されるサブフィールドの組み合わせによる複数の発光重心の平均値とが略等しくなるように、サブフィールドの複数通りの組み合わせを入力画素データの輝度毎に予め決定し、この組み合わせを表す複数種類の画素駆動データを複数個のルックアップテーブルに１つずつ設定しておくことにより、輝度の変化に対してなだらかな発光重心の変化を実現することができるので、動画疑似輪郭を従来よりも効果的に抑制することができる。
【００１３】
また、ルックアップテーブルの個数を２n とし、制御パターン生成手順で生成する制御パターンを、２n 種類の指定情報を２つずつ選択して組み合わせ、同一の組に属する２つの指定情報を交互に並べて配置した４画素の制御パターンを２n ／２組構成し、この２n ／２組の制御パターンを交互に並べて配置したものとし、２n ／２組の制御パターンの各々においては、それぞれ水平、垂直方向共に隣接する指定情報が異なり、かつ１フィールド前と指定情報が入れ替わるように、２つの指定情報を交互に配置するようにしたことにより、２n フィールドで一巡する制御パターンを生成することができ、発光重心の変動を分散させることができ、動画擬似輪郭の発生をより効果的に抑制することができる。
【００１４】
また、ルックアップテーブルの個数を２n とし、この２n 個のルックアップテーブルが同一の入力画素データに対して同一又は異なる輝度を表す画素駆動データを出力するようにルックアップテーブルを設定することにより、サブフィールド構成で実現可能な階調数の２n 倍の階調数を実現することができる。
【発明を実施するための最良の形態】
【００１５】
［第１の実施の形態］
以下、本発明の実施の形態について図面を参照して詳細に説明する。図１は本発明の第１の実施の形態となるプラズマディスプレイ装置の構成を示すブロック図である。図１のプラズマディスプレイ装置は、ＰＤＰ１と、レベル調整回路２と、Ａ／Ｄ変換回路３と、γ逆補正回路４と、出力処理回路６と、同期分離回路７と、タイミングパルス発生回路８と、メモリ制御回路９と、駆動タイミング発生回路１０と、ＬＵＴ１１Ａ〜１１Ｄと、シーケンス制御回路１２とからなる。
【００１６】
本実施の形態のプラズマディスプレイ装置は、図６に示した従来のプラズマディスプレイ装置においてディザ処理を行っていた階調変換回路を省き、このディザ処理に相当する処理をＬＵＴ１１Ａ〜１１Ｄで行うようにしたものである。シーケンス制御回路１２は、制御パターン生成手段とシーケンス制御手段とを構成し、出力処理回路６とメモリ制御回路９と駆動タイミング発生回路１０とは、発光制御手段を構成している。
【００１７】
レベル調整回路２は、入力映像信号が適切なレベルになるようにレベル調整する。Ａ／Ｄ変換回路３は、レベル調整回路２によってレベル調整された映像信号をＡ／Ｄ変換して８ビットの画像データとして出力する。γ逆補正回路４は、ＣＲＴの発光特性と互換性を保つために、Ａ／Ｄ変換回路３から出力された８ビットの画像データをγ逆補正する。
【００１８】
ＬＵＴ１１Ａ〜１１Ｄは、画素データと選択すべきサブフィールドを表す画素駆動データとを対応付けて記憶し、γ逆補正回路４から入力される処理対象の画素データに対応する画素駆動データを読み出して出力する。
【００１９】
シーケンス制御回路１２は、選択すべきＬＵＴを指定する４種類の指定情報を入力画像の各画素に対応してマトリクス状に配置した制御パターンを生成し、この制御パターンとγ逆補正回路４から入力される画像の垂直同期信号ＶＤと水平同期信号ＨＤと入力画像の各画素に同期したピクセルクロックＣＬＫとに基づいて、処理対象の画素データが制御パターン上のどの位置に対応するかを判別し、判別した位置の指定情報で指定されるＬＵＴ１１Ａ〜１１Ｄの画素駆動データを選択して出力する。
【００２０】
出力処理回路６は、シーケンス制御回路１２から出力された１フィールド分の画素駆動データを格納するフィールドメモリ（不図示）を有し、フィールドメモリ内の各画素駆動データをＰＤＰ１の各画素（放電セル）の表示データとしてデータ電極に出力することにより、ＬＵＴによって選択されたサブフィールドの重み付けに対応した期間だけＰＤＰ１の放電セルを発光させる。
【００２１】
同期分離回路７は、入力映像信号から同期信号を分離する。タイミングパルス発生回路８は、同期分離回路７によって抽出された同期信号をもとに、Ａ／Ｄ変換回路３、メモリ制御回路９および駆動タイミング発生回路１０への各種タイミング信号を生成する。
【００２２】
メモリ制御回路９は、タイミングパルス発生回路８のタイミング信号に基づき出力処理回路６のフィールドメモリから画素駆動データを読み出させ、この画素駆動データに基づくＰＤＰ１の発光制御を出力処理回路６に実行させる。駆動タイミング発生回路１０は、タイミングパルス発生回路８およびメモリ制御回路９からのタイミング信号に基づきサブフィールドのタイミングや、ＰＤＰ１の各走査電極及び維持電極を駆動するためのパルス信号などを生成する。
【００２３】
本実施の形態のプラズマディスプレイ装置では、図２に示すように、１フィールド期間を１２個のサブフィールドＳＦ１〜ＳＦ１２に分割して２５６階調の表示を可能にするものである。各サブフィールドＳＦ１〜ＳＦ１２は、それぞれ走査期間と発光期間とを有し、サブフィールドＳＦ１〜ＳＦ１２の各発光期間の比率は１：２：４：７：１０：１４：１９：２５：３１：３９：４７：５６に設定されている。
【００２４】
サブフィールドＳＦ１〜ＳＦ１２の組み合わせは、２の１２乗で４０９６通り考えられる。つまり、１つの輝度に対応するサブフィールドの組み合わせは複数通り存在し、これらの組み合わせはそれぞれ１フィールド期間中の発光重心が異なっている。ここで、本実施の形態では、フィールドの起点を０、サブフィールドＳＦ１の発光中心までの時間を長さ１、発光輝度を重さ１として、サブフィールドの組み合わせによる１フィールド期間中の発光重心を計算するものとする。
【００２５】
図３（ａ）に輝度６３に対応するサブフィールドＳＦ１〜ＳＦ１２の組み合わせとその発光重心の計算例を示し、図３（ｂ）に輝度６４に対応するサブフィールドＳＦ１〜ＳＦ１２の組み合わせとその発光重心の計算例を示す。
図３（ａ）に示す組み合わせａは、輝度６３に対応するサブフィールドＳＦ１〜ＳＦ１２の組み合わせとして、サブフィールドＳＦ２，ＳＦ４，ＳＦ５，ＳＦ７，ＳＦ８を選択したものであり、この組み合わせによる発光重心の値は、７．１７である。
【００２６】
同様に、図３（ｂ）に示す組み合わせａは、輝度６４に対応するサブフィールドＳＦ１〜ＳＦ１２の組み合わせとして、サブフィールドＳＦ１，ＳＦ２，ＳＦ４，ＳＦ５，ＳＦ７，ＳＦ８を選択したものであり、この組み合わせによる発光重心の値は、７．０８である。
なお、輝度６３に対応するサブフィールドＳＦ１〜ＳＦ１２の組み合わせは全部で１６通り存在し、輝度６４に対応するサブフィールドＳＦ１〜ＳＦ１２の組み合わせは全部で１５通り存在するが、図３（ａ）、図３（ｂ）に示した例はその一部である。
【００２７】
輝度６３に対応するサブフィールドの４通りの組み合わせａ〜ｄによる発光重心の平均値を求めると７．６６５であり、輝度６４に対応するサブフィールドの４通りの組み合わせａ〜ｄによる発光重心の平均値を求めると７．６６３であり、輝度６３の場合の発光重心の平均値と輝度６４の場合の発光重心の平均値は略等しい。
【００２８】
つまり、本実施の形態では、１つの輝度に対して選択するサブフィールドの組み合わせを複数通りとし、第１の輝度に対して選択したサブフィールドの複数通りの組み合わせによる複数の発光重心の平均値と、前記第１の輝度との輝度差が所定値（例えば輝度差１）以下の第２の輝度に対して選択したサブフィールドの複数通りの組み合わせによる複数の発光重心の平均値とが略等しくなるように、サブフィールドの複数通りの組み合わせを入力画素データの輝度毎に予め決定しておく。本実施の形態では、１つの輝度に対して選択するサブフィールドの組み合わせを４通りとしている。
これにより、本実施の形態では、輝度の変化に対してなだらかな発光重心の変化を実現することができる。
【００２９】
次に、以上のようなサブフィールドの組み合わせの設定と輝度に応じたサブフィールドの選択を実現する、ＬＵＴ１１Ａ〜１１Ｄとシーケンス制御回路１２の動作を説明する。
図４にシーケンス制御回路１２が生成する制御パターンの１例を示す。図４の制御パターンは、選択すべきＬＵＴを表す指定情報を水平２画素×垂直２画素の４画素に対応してマトリクス状に配置したものである。指定情報Ａ，Ｂ，Ｃ，Ｄは、選択すべきＬＵＴとしてそれぞれＬＵＴ１１Ａ，１１Ｂ，１１Ｃ，１１Ｄを指定する。制御パターンの指定情報Ａ，Ｂ，Ｃ，Ｄは、それぞれ図３で示したサブフィールドの組み合わせａ，ｂ，ｃ，ｄに対応している。
【００３０】
ＬＵＴ１１Ａ〜１１Ｄには、γ逆補正回路４から入力される８ビットの画素データとシーケンス制御回路１２に出力する画素駆動データとが対応付けて予め登録されている。ＬＵＴ１１Ａ〜１１Ｄは、γ逆補正回路４から入力された８ビットの画像データの各画素データに対応する画素駆動データを画素毎に読み出して出力する。
【００３１】
図６に示した従来のプラズマディスプレイ装置では、ＬＵＴが１個なので、入力された画素データに対してＬＵＴが選択するサブフィールドの組み合わせは１通りである。
一方、本実施の形態では、１つの輝度に対して予め設定されたサブフィールドの組み合わせがａ，ｂ，ｃ，ｄの４通りあり、この４通りの組み合わせａ，ｂ，ｃ，ｄを表す４つの画素駆動データがＬＵＴ１１Ａ，１１Ｂ，１１Ｃ，１１Ｄに１つずつ設定されている。
【００３２】
シーケンス制御回路１２は、生成した制御パターンと垂直同期信号ＶＤと水平同期信号ＨＤとピクセルクロックＣＬＫとに基づいて、γ逆補正回路４から出力された画素データが制御パターン中のどの位置にあるかを画素毎に判別し、画素データが指定情報Ａの位置にある場合にはＬＵＴ１１Ａの画素駆動データを選択して出力処理回路６に出力し、画素データが指定情報Ｂの位置にある場合にはＬＵＴ１１Ｂの画素駆動データを選択して出力し、画素データが指定情報Ｃの位置にある場合にはＬＵＴ１１Ｃの画素駆動データを選択して出力し、画素データが指定情報Ｄの位置にある場合にはＬＵＴ１１Ｄの画素駆動データを選択して出力する。
【００３３】
したがって、シーケンス制御回路１２は、ＬＵＴ１１Ａ〜１１Ｄに入力される画素データの輝度が６３で、かつこの画素データが指定情報Ａの位置にある場合、サブフィールドＳＦ２，ＳＦ４，ＳＦ５，ＳＦ７，ＳＦ８を選択する画素駆動データ（図３（ａ）の組み合わせａ）を出力し、画素データが指定情報Ｂの位置にある場合、サブフィールドＳＦ１，ＳＦ３，ＳＦ６，ＳＦ７，ＳＦ８を選択する画素駆動データ（組み合わせｂ）を出力し、画素データが指定情報Ｃの位置にある場合、サブフィールドＳＦ１，ＳＦ４，ＳＦ５，ＳＦ６，ＳＦ９を選択する画素駆動データ（組み合わせｃ）を出力し、画素データが指定情報Ｄの位置にある場合、サブフィールドＳＦ１，ＳＦ２，ＳＦ５，ＳＦ７，ＳＦ９を選択する画素駆動データ（組み合わせｄ）を出力することになる。
【００３４】
同様に、シーケンス制御回路１２は、ＬＵＴ１１Ａ〜１１Ｄに入力される画素データの輝度が６４で、かつこの画素データが指定情報Ａの位置にある場合、サブフィールドＳＦ１，ＳＦ２，ＳＦ４，ＳＦ５，ＳＦ７，ＳＦ８を選択する画素駆動データ（図３（ｂ）の組み合わせａ）を出力し、画素データが指定情報Ｂの位置にある場合、サブフィールドＳＦ２，ＳＦ３，ＳＦ６，ＳＦ７，ＳＦ８を選択する画素駆動データ（組み合わせｂ）を出力し、画素データが指定情報Ｃの位置にある場合、サブフィールドＳＦ２，ＳＦ３，ＳＦ４，ＳＦ７，ＳＦ９を選択する画素駆動データ（組み合わせｃ）を出力し、画素データが指定情報Ｄの位置にある場合、サブフィールドＳＦ１，ＳＦ３，ＳＦ５，ＳＦ７，ＳＦ９を選択する画素駆動データ（組み合わせｄ）を出力することになる。
【００３５】
出力処理回路６は、シーケンス制御回路１２から例えばサブフィールドＳＦ２，ＳＦ４，ＳＦ５，ＳＦ７，ＳＦ８を選択する画素駆動データが出力された場合、この画素駆動データに応じてサブフィールドＳＦ２とＳＦ４とＳＦ５とＳＦ７とＳＦ８の重み付けに対応した期間だけＰＤＰ１の対応する放電セルを発光させる。
以上のように、本実施の形態によれば、輝度の変化に対してなだらかな発光重心の変化を実現することができるので、動画疑似輪郭を抑制することができる。
【００３６】
［第２の実施の形態］
次に、本発明の第２の実施の形態について説明する。本実施の形態は、制御パターンの４種類の指定情報Ａ，Ｂ，Ｃ，Ｄの別の配置例、すなわちサブフィールドの４通りの組み合わせａ，ｂ，ｃ，ｄの別の配置例を提供するものである。本実施の形態においても、プラズマディスプレイ装置の構成は第１の実施の形態と同様であるので、図１の符号を用いて説明する。
【００３７】
第１の実施の形態と同様に、制御パターンの指定情報Ａ，Ｂ，Ｃ，Ｄは選択すべきＬＵＴとしてそれぞれＬＵＴ１１Ａ，１１Ｂ，１１Ｃ，１１Ｄを指定するものである。ただし、本実施の形態では、同一の画素データに対してＬＵＴ１１Ａ，１１Ｂ，１１Ｃ，１１Ｄが出力する画素駆動データをそれぞれＡＯ，ＢＯ，ＣＯ，ＤＯとし、この画素駆動データＡＯ，ＢＯ，ＣＯ，ＤＯによる発光重心をそれぞれＡＧ，ＢＧ，ＣＧ，ＤＧとすると、ＡＧ≧ＤＧ≧ＢＧ≧ＣＧとなるようにＬＵＴ１１Ａ〜１１Ｄの設定規則が決められている。
【００３８】
１つの輝度に対して選択するサブフィールドの組み合わせを４通りとし、第１の輝度に対して選択したサブフィールドの組み合わせによる４つの発光重心の平均値と、第１の輝度との輝度差が所定値以下の第２の輝度に対して選択したサブフィールドの組み合わせによる４つの発光重心の平均値とが略等しくなるように、サブフィールドの４通りの組み合わせが入力画素データの輝度毎に予め決定され、この４通りの組み合わせａ，ｂ，ｃ，ｄを表す４つの画素駆動データＡＯ，ＢＯ，ＣＯ，ＤＯがＬＵＴ１１Ａ，１１Ｂ，１１Ｃ，１１Ｄに１つずつ設定されていることは第１の実施の形態と同じである。
【００３９】
本実施の形態では、４フィールドで一巡する図５（ａ）、図５（ｂ）、図５（ｃ）、図５（ｄ）のような制御パターン群を用いる。図５（ａ）〜図５（ｄ）において、ｋは任意の自然数である。図５の例では、４つの指定情報Ａ，Ｂ，Ｃ，Ｄを２つずつ選択して組み合わせ、同一の組に属する２つの指定情報を交互に並べて配置した水平２画素×垂直２画素の制御パターンを２組構成し、２組の制御パターンを交互に並べて配置したものを制御パターン群としている。つまり、指定情報ＡとＢとを交互に並べて配置したものを第１組の制御パターンとし、指定情報ＣとＤとを交互に並べて配置したものを第２組の制御パターンとすると、第１組の制御パターンと第２組の制御パターンとを交互に並べて配置したものが図５（ａ）〜図５（ｄ）の制御パターン群である。
【００４０】
指定情報ＡとＤとは、互いに斜め方向に隣接するように配置され、同様に指定情報ＢとＣとは、互いに斜め方向に隣接するように配置される。ｋフィールドから（ｋ＋３）フィールドの第１組の制御パターンを図５（ｅ）〜図５（ｈ）に示し、ｋフィールドから（ｋ＋３）フィールドの第２組の制御パターンを図５（ｉ）〜図５（ｌ）に示す。
【００４１】
第１組の制御パターンと第２組の制御パターンの各々においては、それぞれ水平、垂直方向共に隣接する指定情報が異なり、かつ１フィールド前と指定情報が入れ替わるように、２つの指定情報を交互に配置する。例えば、ｋフィールドの第１組の制御パターンと（ｋ＋１）フィールドの第１組の制御パターンでは、図５（ｅ）、図５（ｆ）に示すように、指定情報Ａ，Ｂの位置が入れ替わっていることが分かる。したがって、第１組の制御パターンと第２組の制御パターンがそれぞれ２種類ずつ存在するので、第１組の制御パターンと第２組の制御パターンの組み合わせが４種類存在することになり、これら４種類の組み合わせが４フィールドで一巡することになる。シーケンス制御回路１２は、以上のような構成の制御パターン群を生成する。
【００４２】
本実施の形態では、各画素において同一の指定情報が発生する１周期（本実施の形態では４フィールド）あたりの輝度平均値が各画素で同一となるように制御パターン群が生成される。つまり、図５（ａ）、図５（ｂ）、図５（ｃ）、図５（ｄ）から分かるように、１つのフィールドでは各画素の指定情報がＡ，Ｂ，Ｃ，Ｄのいずれかであり、これに対応する画素駆動データがＡＯ，ＢＯ，ＣＯ，ＤＯのいずれかであるから、輝度値は各画素で同一とは限らない。
【００４３】
しかし、ｋフィールドから（ｋ＋３）フィールドにわたって各画素の指定情報に注目すると、指定情報の発生順は画素によって異なるが、全ての画素で指定情報Ａ，Ｂ，Ｃ，Ｄが４フィールドで一巡しており、その結果、画素駆動データＡＯ，ＢＯ，ＣＯ，ＤＯが４フィールドで一巡することが分かる。したがって、４フィールドあたりの輝度平均値は各画素で同一である。このように、全ての指定情報を周期的に発生させることで、同一の指定情報の発生周期における画素の輝度平均値を各画素で同じにすることができ、輝度の違いによるパターンノイズの発生を抑えることができる。
【００４４】
本実施の形態では、第１の実施の形態と同様に、輝度の変化に対してなだらかな発光重心の変化を実現することができるので、動画疑似輪郭を抑制することができる。
また、本実施の形態では、４フィールドで一巡する制御パターン群を用いることにより、発光重心の変動を分散させることができ、動画擬似輪郭の発生をより効果的に抑制することができる。
【００４５】
さらに、本実施の形態では、指定情報ＡとＤとを互いに斜め方向に隣接するように配置し、指定情報ＢとＣとを互いに斜め方向に隣接するように配置して、指定情報Ａ，Ｂ，Ｃ，Ｄに対応する画素駆動データＡＯ，ＢＯ，ＣＯ，ＤＯによる発光重心ＡＧ，ＢＧ，ＣＧ，ＤＧがＡＧ≧ＤＧ≧ＢＧ≧ＣＧとなるようにＬＵＴ１１Ａ〜１１Ｄの設定規則を定めているので、動画擬似輪郭が発生する輝度が画素駆動データＡＯ（またはＤＯ）と画素駆動データＢＯ（またはＣＯ）とで異なるため、拡散効果によっても動画擬似輪郭の発生を抑制することができる。
【００４６】
なお、本実施の形態では、水平２画素×垂直２画素の制御パターンの集まりからなる制御パターン群と４個のＬＵＴを使用しているが、これに限るものではなく、水平２画素×垂直４画素（あるいは水平４画素×垂直２画素）の制御パターンの集まりからなる制御パターン群と８個のＬＵＴを使用してもよいし、水平４画素×垂直４画素の制御パターンの集まりからなる制御パターン群と１６個のＬＵＴを使用してもよい。
【００４７】
つまり、選択すべきＬＵＴを指定する２n （ｎは２以上の整数で、本実施の形態ではｎ＝２）種類の指定情報を入力画像の各画素に対応してマトリクス状に配置した制御パターンと２n 種類の指定情報に対応する２n 個のＬＵＴとを使用してもよい。この場合、制御パターン群は、２n 種類の指定情報を２つずつ選択して組み合わせ、同一の組に属する２つの指定情報を交互に並べて配置した水平２画素×垂直２画素の制御パターンを２n ／２組構成し、この２n ／２組の制御パターンを交互に並べて配置したものであり、２n ／２組の制御パターンの各々においては、それぞれ水平、垂直方向共に隣接する指定情報が異なり、かつ１フィールド前と指定情報が入れ替わるように、２つの指定情報を交互に配置する。この場合、各画素において同一の指定情報が発生する周期は、２n フィールドである。
［第３の実施の形態］
次に、本発明の第３の実施の形態について説明する。第１の実施の形態では、１つの入力画素データに対してＬＵＴ１１Ａ〜１１Ｄが出力する４つの画素駆動データは全て同一の輝度を表すものであったが、１つの画素データに対してＬＵＴ１１Ａ〜１１Ｄが出力する４つの画素駆動データが同一又は異なる輝度を表すようにしてもよい。これにより、本実施の形態では、中間調表示を実現できる。
【００４８】
例えば、ＬＵＴ１１Ａ〜１１Ｄから輝度６３を表す１つの画素駆動データと輝度６４を表す３つの画素駆動データを出力すれば、輝度６３．２５が表示できる。同様に、輝度６３を表す２つの画素駆動データと輝度６４を表す２つの画素駆動データを出力すれば、輝度６３．５が表示でき、輝度６３を表す３つの画素駆動データと輝度６４を表す１つの画素駆動データを出力すれば、輝度６３．７５が表示できる。さらに、輝度６３を表す４つの画素駆動データを出力すれば、輝度６３．００が表示できる。このとき、各画素駆動データは第１の実施の形態で述べた規則を満たしていることは言うまでもない。
【００４９】
本実施の形態では、γ逆補正回路４から出力される画素データのビット数を例えば１０ビットとし、水平２画素×垂直２画素の制御パターンと４個のＬＵＴを使用すれば、水平２画素×垂直２画素の４画素を１つの表示単位として眺めた場合、４種類の組み合わせが発生することになる。したがって、サブフィールド構成が２５６階調であっても、表現できる輝度階調数はその４倍、すなわち１０ビット相当の中間調表示が可能となる。
【００５０】
同様に、水平２画素×垂直４画素（あるいは水平４画素×垂直２画素）の制御パターンの集まりからなる制御パターン群と８個のＬＵＴを使用すれば、８倍の階調の表示を実現することができ、水平４画素×垂直４画素の制御パターンの集まりからなる制御パターン群と１６個のＬＵＴを使用すれば、１６倍の階調の表示を実現することができる。
【００５１】
つまり、選択すべきＬＵＴを指定する２n 種類の指定情報を入力画像の各画素に対応してマトリクス状に配置した制御パターンと２n 種類の指定情報に対応する２n 個のＬＵＴとを使用すれば、サブフィールド構成で実現可能な階調数の２n 倍の階調数を実現することができる。
【産業上の利用可能性】
【００５２】
本発明は、プラズマディスプレイパネルに適用することができる。
【図面の簡単な説明】
【００５３】
【図１】本発明の第１の実施の形態となるプラズマディスプレイ装置の構成を示すブロック図である。
【図２】本発明の第１の実施の形態におけるサブフィールドの配列構成を示す図である。
【図３】本発明の第１の実施の形態において輝度に対応するサブフィールドの組み合わせとその発光重心の計算例を示す図である。
【図４】本発明の第１の実施の形態における制御パターンの１例を示す図である。
【図５】本発明の第２の実施の形態における制御パターン群の１例を示す図である。
【図６】従来のプラズマディスプレイ装置の構成を示すブロック図である。
【図７】従来のプラズマディスプレイ装置におけるサブフィールドの配列構成を示す図である。
【符号の説明】
【００５４】
１…プラズマディスプレイパネル、２…レベル調整回路、３…Ａ／Ｄ変換回路、４…γ逆補正回路、６…出力処理回路、７…同期分離回路、８…タイミングパルス発生回路、９…メモリ制御回路、１０…駆動タイミング発生回路、１１Ａ〜１１Ｄ…ルックアップテーブル、１２…シーケンス制御回路。
【図１】
2005250001.tif 000003
【図２】
2005250001.tif 000004
【図３】
2005250001.tif 000005
【図４】
2005250001.tif 000006
【図５】
2005250001.tif 000007
【図６】
2005250001.tif 000008
【図７】
2005250001.tif 000009